(57)【要約】【課題】  ２次電池を充電するための充電用の端子を利用して１次電池と２次電池との判別を行うことである。【解決手段】  ２次電池に対して充電を開始しても、その電流値はほぼ一定であるのに対し、１次電池に対して充電を開始すると、その電流値は徐々に減少する。本充電装置は、この電流特性の違いを利用し、充電を開始してから一定時間後にソケット部の電池に流れる充電用の電流を検出する。そして、その電流値が規定値以上であれば２次電池と判別し、充電を継続する。一方、その電流値が規定値未満であれば１次電池と判別し、充電を停止する。【選択図】  図１
2005235438.tif 000002
【特許請求の範囲】
【請求項１】
外部電源から供給される外部電圧が入力される外部電圧入力部と、
電池が着脱可能に装着されるソケット部とを備え、
該外部電圧入力部から入力される外部電圧により、該ソケット部に装着された２次電池を充電するための２次電池用充電装置において、
上記外部電圧入力部からの外部電圧により上記ソケット部に装着された電池に流れる充電用の電流を検出する電流検出手段と、
該電流検出手段による検出結果に応じて、該ソケット部に装着された電池が、１次電池であるか又は２次電池であるかを判別する判別手段と、
該判別手段により１次電池であると判別されたとき、該ソケット部に装着された電池に対する充電を停止させる充電停止手段とを設けたことを特徴とする２次電池用充電装置。
【請求項２】
請求項１の２次電池用充電装置において、
上記判別手段は、充電を開始してから一定時間経過後の上記電流検出手段によって検出した電流値が、所定値未満であるときには１次電池であると判別し、所定値以上であるときには２次電池であると判別することを特徴とする２次電池用充電装置。
【請求項３】
請求項１の２次電池用充電装置において、
上記判別手段は、充電開始後の一定時間内に上記電流検出手段によって検出した電流値の変化量が、所定量以上であるときには１次電池であると判別し、所定量未満であるときには２次電池であると判別することを特徴とする２次電池用充電装置。
【請求項４】
請求項１、２又は３の２次電池用充電装置において、
上記ソケット部に装着された電池によって発生する電力を、電力供給対象に向けて出力する電力出力部を有することを特徴とする２次電池用充電装置。
【請求項５】
請求項４の２次電池用充電装置において、
上記電力出力部を、上記電力供給対象である２次電池を内蔵した携帯電話機の外部コネクタに接続可能な接続コネクタで構成したことを特徴とする２次電池用充電装置。
【発明の詳細な説明】
【技術分野】
【０００１】
本発明は、２次電池を充電するための２次電池用充電装置に関するものである。
【背景技術】
【０００２】
単三型等の１次電池は、一般に、プラス電極端子及びマイナス電極端子以外の外周面が絶縁被覆によって覆われている。これに対し、同型の２次電池は、プラス電極端子及びマイナス電極端子以外の外周面の一部、具体的にはマイナス電極端子近傍の外周面部分の絶縁被覆を剥がし、その部分にマイナス電極端子とは別の第２のマイナス電極端子を露出させているものがある。この構成の違いを利用して、従来の２次電池用充電装置（以下、単に「充電装置」という。）では、２次電池だけに存在する第２のマイナス電極端子に接触する２次電池検出端子を用い、ソケット部に誤って１次電池が装着されていないかを判別する（特許文献１参照）。具体的には、例えば、２次電池検出端子に現れる電圧をマイクロコンピュータ等に入力し、その電圧の入力がないときには充電を開始しないように構成する。このような構成により、ユーザーが誤って充電装置に１次電池を装着してしまっても、充電が開始されることはない。
【０００３】
【特許文献１】特開平１１−１７６４８５号公報
【発明の開示】
【発明が解決しようとする課題】
【０００４】
ところが、上述した２次電池検出端子を利用する充電装置では、２次電池のプラス電極及びマイナス電極にそれぞれ接触する充電用の端子のほかに、２次電池検出端子という別の端子をも設ける必要がある。このため、その２次電池検出端子を設置するためのスペースを確保する必要が生じ、充電装置の小型化が妨げられるという問題があった。また、上述した充電装置では、１次電池と同様に、第２のマイナス電極端子を備えていない２次電池に対しては、１次電池か２次電池かの判別を行うことができないという問題もある。
これらの問題を解決するには、２次電池検出端子を利用せず、充電用の端子を利用して、１次電池と２次電池との判別を行うことが可能な新たな判別方法が必要となる。
【０００５】
本発明は、以上の背景に鑑みなされたものであり、その目的とするところは、２次電池を充電するための充電用の端子を利用して１次電池と２次電池との判別を行うことが可能な２次電池用充電装置を提供することである。
【課題を解決するための手段】
【０００６】
上記目的を達成するために、請求項１の発明は、外部電源から供給される外部電圧が入力される外部電圧入力部と、電池が着脱可能に装着されるソケット部とを備え、該外部電圧入力部から入力される外部電圧により、該ソケット部に装着された２次電池を充電するための２次電池用充電装置において、上記外部電圧入力部からの外部電圧により上記ソケット部に装着された電池に流れる充電用の電流を検出する電流検出手段と、該電流検出手段による検出結果に応じて、該ソケット部に装着された電池が、１次電池であるか又は２次電池であるかを判別する判別手段と、該判別手段により１次電池であると判別されたとき、該ソケット部に装着された電池に対する充電を停止させる充電停止手段とを設けたことを特徴とするものである。
リチウムイオン電池やニッケル・カドミウム電池等の２次電池に対して充電を開始しても、その電流値はほぼ一定であるのに対し、マンガン乾電池やアルカリ乾電池等の１次電池に対して充電を開始すると、その電流値は徐々に減少する。本充電装置は、この電流特性の違いを利用し、ソケット部に装着された電池に流れる充電用の電流を検出し、その検出結果に応じて、その電池が１次電池か２次電池かを判別する。これにより、充電用の端子とは別に従来の充電装置では必要であった２次電池検出端子を設けることなく、ソケット部に装着された電池が１次電池か２次電池かを判別することが可能となる。なお、具体的な判別方法としては、後述する請求項２の充電装置のように一定時間経過後の電流値に基づいて判別したり、後述する請求項３の充電装置のように一定時間内における電流値の変化量に基づいて判別したり方法が挙げられる。このほか、一定時間内に流れる電流値の総和（電流の積分値）に基づいて判別する方法を採用しても、判別は可能である。
【０００７】
また、請求項２の発明は、請求項１の２次電池用充電装置において、上記判別手段は、充電を開始してから一定時間経過後の上記電流検出手段によって検出した電流値が、所定値未満であるときには１次電池であると判別し、所定値以上であるときには２次電池であると判別することを特徴とするものである。
充電開始直後において、１次電池を流れる充電用の電流と、２次電池を流れる充電用の電流との間に差が少ないため、充電開始直後の電流値に基づいて判別しようとすると、誤った判別結果が出てしまうおそれがある。そこで、本充電装置では、充電を開始してから一定時間経過後の電流値に基づいて判別する。これにより、１次電池を流れる電流値は十分に減少しており、１次電池を流れる電流値と２次電池を流れる電流値との差が大きくなる。よって、ソケット部に装着された電池が１次電池か２次電池かの判別精度を高めることができる。なお、本発明者らの実験によると、３分程度の時間が経過した後であれば、ソケット部に装着された電池が１次電池か２次電池かをほぼ確実に判別することができる。
【０００８】
また、請求項３の発明は、請求項１の２次電池用充電装置において、上記判別手段は、充電開始後の一定時間内に上記電流検出手段によって検出した電流値の変化量が、所定量以上であるときには１次電池であると判別し、所定量未満であるときには２次電池であると判別することを特徴とするものである。
上述したように、２次電池に対して充電を開始してもその電流値はほぼ一定であるため、電流値の変化量はほぼ０である。これに対し、１次電池の場合には、充電を開始してから電流値が徐々に減少するため、電流値が変化する。よって、本充電装置のように、電流値の変化量の違いから、ソケット部に装着された電池が１次電池か２次電池かを判別することができる。具体的には、例えば、電流の微分値を演算し、その演算結果の違いから判別することができる。
【０００９】
また、請求項４の発明は、請求項１、２又は３の２次電池用充電装置において、上記ソケット部に装着された電池によって発生する電力を、電力供給対象に向けて出力する電力出力部を有することを特徴とするものである。
この充電装置においては、上記ソケット部に装着された電池により、電力供給対象に対して電力を供給することができる。よって、本充電装置は、２次電池を充電するだけでなく、電力供給対象の電源としても機能することができる。
【００１０】
また、請求項５の発明は、請求項４の２次電池用充電装置において、上記電力出力部を、上記電力供給対象である２次電池を内蔵した携帯電話機の外部コネクタに接続可能な接続コネクタで構成したことを特徴とするものである。
この充電装置においては、２次電池を内蔵した携帯電話機の外部コネクタに接続コネクタを接続することで、携帯電話機の内蔵電池（２次電池）を充電することができる。このような構成により、例えば、ソケット部に２次電池を装着して充電した後、その２次電池をソケット部に装着したまま外出先等に持って行き、その外出先で本充電装置により携帯電話機の内蔵電池を充電するというような利用が可能となる。
【発明の効果】
【００１１】
請求項１乃至５の発明によれば、２次電池を充電するための充電用の端子を利用して１次電池と２次電池を判別することができるという優れた効果がある。その結果、充電用の端子のほかに２次電池検出端子をも設ける必要があった従来の充電装置に比べて小型化が可能となる。また、１次電池と同様にプラス電極端子及びマイナス電極端子以外の外周面が絶縁被覆によって覆われているような２次電池に対して充電を行うことも可能となる上、この場合の１次電池と２次電池の判別も可能となる。
特に、請求項２の発明によれば、ソケット部に装着された電池が１次電池か２次電池かの判別精度を高めることができるという優れた効果がある。
また、請求項４の発明によれば、２次電池を充電するだけでなく、電力供給対象の電源としても機能することができるので、ユーザーの利便性を向上させることができるという優れた効果がある。
また、請求項５の発明によれば、一般に広く普及している携帯電話機の内蔵電池を充電できるので、さらにユーザーの利便性が高まるという優れた効果がある。
【発明を実施するための最良の形態】
【００１２】
以下、本発明を、２次電池を充電する機能とともに、充電した２次電池により携帯電話機の内蔵電池を充電する機能をも備えた２次電池用充電装置（以下、「充電器」という。）に適用した一実施形態について説明する。
図２は、本実施形態に係る充電器を充電するときの状態の概略構成を示す外観図である。この充電器１０は、電力出力部としての接続コネクタである第１コネクタ１１と、外部電圧入力部としての第２コネクタ１２とを備えている。また、内部には、２本の２次電池１３を着脱可能に収容するソケット部１４が設けられている。なお、図示の充電器１０は、ソケット部１４の蓋が開いた状態を示している。この充電器１０内の２次電池１３は、携帯電話機１の内蔵電池と同じ充電作業で充電することができる。両者を充電する場合には、第１コネクタ１１に携帯電話機１の外部コネクタ２を接続し、かつ、第２コネクタ１２にその携帯電話機１の専用充電器２０の電圧供給用コネクタである専用コネクタ２１を接続する。専用充電器２０の電源コネクタ２２は、自宅の電源コンセント３０に差し込まれる。なお、携帯電話機１のみを充電する場合には、従来と同様に、専用充電器２０の専用コネクタ２１を携帯電話機１の外部コネクタ２に直接接続してもよい。
【００１３】
ここで、携帯電話機１の外部コネクタ２は、一般にメスコネクタであり、そのコネクタ形状は携帯電話機１の種類ごとに異なっている。本実施形態の第１コネクタ１１には、すべての外部コネクタ２に対応した形状をもつ公知の汎用オスコネクタが利用されている。
一方、携帯電話機１に付属の専用充電器２０に設けられる専用コネクタ２１は、その携帯電話機１の外部コネクタ２に対応した形状を有するオスコネクタであり、そのコネクタ形状は携帯電話機１の種類ごとに異なっている。本実施形態の第２コネクタ１２には、すべての専用コネクタ２１に対応した形状をもつメスコネクタが利用されている。また、本実施形態の第２コネクタ１２の形状は、特定の携帯電話機に専用のものではない公知の汎用オスコネクタの形状にも対応している。具体的には、この第２コネクタ１２の内形形状は、すべての専用コネクタ２１及び汎用オスコネクタが有するいずれの外形にも衝突することのない最小範囲に決められている。そして、その第２コネクタ１２には、いずれのオスコネクタが挿入されたときでもオスコネクタとの連結状態を保持する保持手段が設けられている。本実施形態では、第２コネクタ１２の内壁の適切な位置に設けられる突起部が保持手段として機能している。
なお、本実施形態では、携帯電話機１に付属する専用充電器２０を利用しているが、本充電器１０に専用の電源ケーブルを用意するのであれば、第２コネクタ１２はこの電源ケーブルと接続できるものであればよい。また、第２コネクタ１２として、電源コンセント３０に直接差し込むことができる電源コネクタを利用することもできる。
【００１４】
図３は、充電器１０の内部の回路構成を示すブロック図である。この充電器１０は、第２コネクタ１２を介して専用充電器２０から供給された外部電圧（５．４Ｖ）から所望の定電圧（３．０Ｖ）を得るための電圧制御回路１５を備えている。この電圧制御回路１５から出力される一定電圧は、後述する判別手段としての判定回路１７により制御される充電停止手段としてのスイッチ部１８が導通状態にあるとき、電流検出手段としての電流検出部１６を介して、２次電池１３が装着されたソケット部１４に入力される。一定電圧がソケット部１４に入力されると、これにより流れる充電用の電流によって２次電池１３が充電される。
【００１５】
また、電圧制御回路１５からの一定電圧は、充電電圧供給手段としての昇圧回路部１９にも入力される。この昇圧回路部１９は、入力された一定電圧を携帯電話機１の内蔵電池の充電に必要な電圧に変圧した後、その電圧を第１コネクタ１１に供給する。なお、本実施形態では、内部に充電回路を備えた携帯電話機１の充電を例に挙げているので、昇圧回路部１９では、入力されるＤＣ３．０ＶをＤＣ５．４Ｖまで昇圧している。このように昇圧された電圧は、第１コネクタ１１に接続されている外部コネクタ２を介して、その携帯電話機１の充電回路に送られ、その充電回路により内蔵電池が充電される。
なお、外出先等において、本充電器１０の２次電池１３で発生する電圧によって携帯電話機１の内蔵電池を充電する場合、２次電池１３で発生する電圧が昇圧回路部１９に入力される。そして、昇圧回路部１９は、上記と同様に、入力された電圧を変圧した後、その電圧を第１コネクタ１１に供給する。これにより、携帯電話機１の充電回路が内蔵電池を充電する。
【００１６】
次に、本充電器１０の動作について説明する。
図４は、本実施形態における充電器１０の動作を示すフローチャートである。本充電器１０は、第１コネクタ１１及び第２コネクタ１２の電気的な接続状態の違いにより、その動作が異なる。
第１コネクタ１１が携帯電話機１に内蔵された充電回路と電気的に接続された状態（以下、単に「接続状態」という。）であり、かつ、第２コネクタ１２が専用充電器２０と電気的に接続されていない状態（以下、単に「非接続状態」という。）である場合（Ｓ１１）、昇圧回路部１９には、２次電池１３で発生する電圧が入力される。そして、本充電器１０の２次電池１３から携帯電話機１の充電回路に電流が流れ込み、内蔵電池が充電される（Ｓ１２）。内蔵電池の充電が終了すると、携帯電話機１の充電回路によって携帯電話機１に流れ込む電流がカットされるため、２次電池１３からは電流が供給されなくなり、充電が終了する。
【００１７】
また、第１コネクタ１１が携帯電話機１の充電回路と非接続状態であり、かつ、第２コネクタ１２が専用充電器２０と接続状態である場合（Ｓ１３）、ソケット部１４には、第２コネクタ１２からの外部電圧が入力される。これにより、その第２コネクタ１２からソケット部１４に電流が流れ込み、２次電池１３が充電される（Ｓ１４）。このとき、第１コネクタ１１は非接続状態であるため、昇圧回路部１９には、電流が流れ込むことはない。
【００１８】
また、第１コネクタ１１及び第２コネクタ１２がともに接続状態である場合（Ｓ１５）、ソケット部１４及び昇圧回路部１９には、第２コネクタ１２からの外部電圧が入力される。第２コネクタ１２から流入する電流は、インピーダンスの関係で、そのほとんどは、ソケット部１４には流れ込まずに昇圧回路部１９に流れ込むことになる。これにより、携帯電話機１の充電回路によって内蔵電池が充電される（Ｓ１６）。内蔵電池の充電が終了すると、上述のように携帯電話機１に流れ込む電流がカットされるため、第２コネクタ１２から流入する電流は、今度はソケット部１４には流れ込み、２次電池１３が充電される（Ｓ１７）。
【００１９】
以上のような構成により、本実施形態では、携帯電話機１を接続した状態の充電器１０に、その携帯電話機１に付属の専用充電器２０を接続するだけで、その携帯電話機１の内蔵電池及び充電器１０の２次電池の充電を一度に済ますことができる。よって、従来別々に行わなければならなかった両者の充電作業を一度に行うことができるので、その利便性を高めることができる。なお、本実施形態では、携帯電話機１の内蔵電池の充電を優先して行う構成としたが、２次電池１３の充電を優先して行ったり、内蔵電池と２次電池１３の充電を同時に行ったりしてもよい。
【００２０】
また、本実施形態においては、２次電池１３として単３形のＮｉ−ＭＨ電池を用いているので、ソケット部１４に単３形の１次電池を装着して利用することもできる。これにより、例えば外出先等において２次電池を使い切ってしまったときでも、１次電池を利用して携帯電話機１の内蔵電池の充電作業を行うことができる。ところが、この場合、１次電池が装着された状態で、ソケット部１４による充電動作が行われない構成とする必要が生じる。そこで、本実施形態では、次のようにしてソケット部１４に装着されている電池が１次電池であるか２次電池であるかを判別することとしている。
【００２１】
以下、本発明の特徴部分である、ソケット部１４に装着される電池が１次電池であるか２次電池であるかを判別するための構成及び動作について説明する。なお、以下の説明では、第１コネクタ１１が携帯電話機１の充電回路と非接続状態であり、かつ、第２コネクタ１２が専用充電器２０と接続状態である場合を例に挙げて説明する。
図１は、ソケット部１４に装着される電池が１次電池であるか２次電池であるかを判別する判別処理の流れを示すフローチャートである。初期の状態では、スイッチ部１８は導通状態になっており、第２コネクタ１２に外部電圧が入力されると、電圧制御回路１５から出力される一定電圧（３．０Ｖ）がソケット部１４に入力される（Ｓ１）。これにより、ソケット部１４には、電流検出部１６を介して充電用の電流が流れ込む。このとき、電流検出部１６は電流を検出し、その検出した電流値に応じた検出信号が判定回路１７に入力される。判定回路１７は、電流検出部１６からの検出信号を受け取ると、図示しないカウンタにより時間をカウントし始める。
【００２２】
一定時間（本実施形態では３分間）が経過したら（Ｓ２）、判定回路１７は、この経過時に電流検出部１６から出力される検出信号を取得する。そして、この検出信号の信号レベルに応じて、ソケット部１４に装着された電池を流れる充電用の電流の電流値を把握する。判定回路１７は、把握した電流値が予め設定された規定値（所定値）以上であるか否かを判断する（Ｓ３）。具体的には、検出信号の信号レベルと、規定値に対応するレベルとを比較し、その比較結果から判断する。本実施形態における規定値は、１００ｍＡに設定されている。
【００２３】
ソケット部１４に装着された電池が１次電池である場合、充電開始直後は２００ｍＡ程度の電流が検出されるが、３分経過後には、その電流値はおよそ５０ｍＡまで減少する。よって、判定回路１７は、上記Ｓ３において電流値が規定値未満であると判断したとき、ソケット部１４に装着された電池が１次電池と判定する（Ｓ４）。そして、判定回路１７は、導通状態にあるスイッチ部１４をＯＦＦにする（Ｓ５）。これにより、ユーザーが誤ってソケット部１４に１次電池を装着したとしても、その充電は３分後には自動的に停止され、１次電池への充電の継続が防止される。
一方、ソケット部１４に装着された電池が２次電池である場合、充電開始直後は２００ｍＡ程度の電流が検出され、３分経過後も、その電流値に変化はなくほぼ２００ｍＡに維持される。よって、判定回路１７は、上記Ｓ３において電流値が規定値以上であると判断したとき、ソケット部１４に装着された電池が２次電池と判定し（Ｓ６）、スイッチ部１８の導通状態を維持し、充電を続行する。
【００２４】
以上、本実施形態によれば、ユーザーが誤ってソケット部１４に１次電池を装着してしまい、これに気付いていなくても、一定時間経過後には自動的に充電が停止されるので、１次電池への誤った充電動作が継続されるのを防止できる。
なお、本実施形態では、カウンタにより充電開始後の一定時間（３分間）をカウントした後の電流値が規定値以上であるか否かを判別したが、一定時間（３分間）をカウントせず、単に電流検出部１６で検出される電流値が規定値以上のときにはスイッチ部１８を常にＯＮ状態にし、規定値未満になったときにスイッチ部１８をＯＦＦ状態に切り替えるように制御しても、同様の効果を得ることができる。
【００２５】
〔変形例〕
次に、上記実施形態における、ソケット部１４に装着される電池が１次電池であるか２次電池であるかを判別するための動作の変形例について説明する。なお、本変形例は、判定回路１７がマイクロコンピュータにより構成され、その判定回路１７における処理内容が異なる以外は、上記実施形態１と同様である。
図５は、本変形例における判別処理の流れを示すフローチャートである。初期の状態では、スイッチ部１８は導通状態になっており、第２コネクタ１２に外部電圧が入力されると（Ｓ２１）、ソケット部１４には、電流検出部１６を介して充電用の電流が流れ込む。判定回路１７は、電流検出部１６からの検出信号を受け取ると、図示しないカウンタにより時間をカウントするとともに、一定時間が経過するまでの間、電流検出部１６からの検出信号に基づき、電流値を一定間隔でサンプリングする（Ｓ２２，Ｓ２３）。
【００２６】
一定時間（本変形例では１分間）が経過したら（Ｓ２３）、判定回路１７は、サンプリングした電流値に基づいて、その一定時間内における電流値の変化量を算出する（Ｓ２４）。そして、判定回路１７は、この変化量が予め設定された規定値（所定値）以下であるか否かを判断する（Ｓ２５）。本変形例では、この規定値を５０ｍＡに設定している。ソケット部１４に装着された電池が１次電池である場合、上述したとおり、充電開始後は電流値が減少し、その変化量は５０ｍＡよりも大きいものとなる。よって、判定回路１７は、上記Ｓ２５において変化量が規定値以上であると判断したとき、ソケット部１４に装着された電池が１次電池と判定する（Ｓ２６）。そして、判定回路１７は、導通状態にあるスイッチ部１４をＯＦＦにする（Ｓ２７）。一方、ソケット部１４に装着された電池が２次電池である場合、充電開始後からほぼ一定の電流が流れ続けるため、その変化量はほぼ０ｍＡである。よって、判定回路１７は、上記Ｓ２５において電流値が規定値未満であると判断したとき、ソケット部１４に装着された電池が２次電池と判定し（Ｓ２８）、スイッチ部１８の導通状態を維持し、充電を続行する。
【００２７】
以上、本変形例によれば、上記実施形態と同様、ユーザーが誤ってソケット部１４に１次電池を装着してしまい、これに気付いていなくても、一定時間経過後には自動的に充電が停止されるので、１次電池への誤った充電動作が継続されるのを防止できる。
なお、本変形例では、マイクロコンピュータで構成される判定回路１７により電流値をサンプリングして電流値の変化量を求めたが、電流検出部１６で検出される電流を微分回路に通して得られる微分値を電流値の変化量として用いて判別を行った場合でも、同様の効果を得ることが可能である。
【００２８】
上述した説明では、充電器１０のソケット部１４に装着された電池によって携帯電話機の内蔵電池を充電可能な構成について説明したが、携帯電話機の内蔵電池だけでなく、他の電力供給対象に対して電力を供給できる構成としてもよい。また、このような電力供給対象に対して電力を供給できる構成とはせずに、２次電池１３の充電専用の装置として構成してもよい。
【図面の簡単な説明】
【００２９】
【図１】実施形態に係る充電装置におけるソケット部に装着される電池が、１次電池であるか２次電池であるかを判別する判別処理の流れを示すフローチャート。
【図２】同充電装置を充電するときの状態の概略構成を示す外観図。
【図３】同充電装置の内部の回路構成を示すブロック図。
【図４】同充電装置の充電動作を示すフローチャート。
【図５】変形例における判別処理の流れを示すフローチャート。
【符号の説明】
【００３０】
１    携帯電話機
２    外部コネクタ
１０  充電装置
１１  第１コネクタ
１２  第２コネクタ
１３  ２次電池
１４  ソケット部
１５  電圧制御回路
１６  電流検出部
１７  判定回路
１８  スイッチ部
１９  昇圧回路部
【図１】
2005235438.tif 000003
【図２】
2005235438.tif 000004
【図３】
2005235438.tif 000005
【図４】
2005235438.tif 000006
【図５】
2005235438.tif 000007